【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
データを含む放送波を受信すると共に、複数の操作キーを有するリモコンによって操作される受信装置であって、
表示手段と、
前記データから、前記リモコンの操作キーのうち使用可能な操作キーを検出する検出手段と、
前記リモコンの操作キーの配置及び前記検出手段の検出結果に基づいて、前記使用可能な操作キーに対応する情報を前記表示手段に表示する表示制御手段と、
を有することを特徴とする受信装置。
【請求項２】
前記検出手段は、フォーカスされているコンテンツに基づいて、前記使用可能な操作キーを検出する、請求項１に記載の受信装置。
【請求項３】
前記検出手段は、前記データに含まれるコンテンツ記述文書に記載されるユーズドキーリスト又はキー操作アクションに基づいて、前記使用可能な操作キーを検出する、請求項１又は２に記載の受信装置。
【請求項４】
前記表示制御手段は、使用不可能な操作キーに対応する情報を表示しない、請求項１〜３の何れか一項に記載の受信装置。
【請求項５】
前記表示制御手段は、前記操作キーに対応する情報を複数画面で表示する場合、前記複数画面のうち、前記使用可能な操作キーに対応する情報が存在しない画面は表示しない、請求項１に記載の受信装置。
【請求項６】
前記表示制御手段は、前記操作キーに対応する情報を１画面に表示する、請求項１に記載の受信装置。
【請求項７】
前記コンテンツは、インプット要素である、請求項２に記載の受信装置。
【請求項８】
前記表示制御手段は、前記データ取得中に使用可能な操作キーと使用不可能な操作キーとを区別して、前記操作キーに対応する情報を前記表示手段に表示する、請求項１〜７の何れか一項に記載の受信装置。
【請求項９】
前記放送波に含まれる映像を前記表示手段に表示するための提示処理手段を有し、
前記表示制御手段は、前記提示処理手段による処理中に使用可能な操作キーと使用不可能な操作キーとを区別して、前記操作キーに対応する情報を前記表示手段に表示する、請求項１〜８の何れか一項に記載の受信装置。
【請求項１０】
データを含む放送波を受信する受信装置及び複数の操作キーを有し且つ前記受信装置を操作可能なリモコンを有する受信システムであって、
前記受信装置は、
表示手段と、
前記データから、前記リモコンの操作キーのうち使用可能な操作キーを検出する検出手段と、
前記リモコンの操作キーの配置及び前記検出手段の検出結果に基づいて、前記使用可能な操作キーと使用不可能な操作キーを区別して、前記操作キーに対応する情報を前記表示手段に表示する表示制御手段と、を有する、
ことを特徴とする受信システム。
【手続補正２】
【補正対象書類名】明細書
【補正対象項目名】発明の名称
【補正方法】変更
【補正の内容】
【発明の名称】受信装置及び受信システム
【手続補正３】
【補正対象書類名】明細書
【補正対象項目名】０００１
【補正方法】変更
【補正の内容】
【０００１】
本発明は、受信装置及び受信システムに関し、特に、データ放送で使用することができるリモコンの操作キーを表示する受信装置及び受信システムに関するものである。
【手続補正４】
【補正対象書類名】明細書
【補正対象項目名】０００６
【補正方法】変更
【補正の内容】
【０００６】
そこで、本発明は、データ放送で使用することがきる操作キーを表示することができる受信装置及び受信システムを提供することを目的とする。
【手続補正５】
【補正対象書類名】明細書
【補正対象項目名】０００７
【補正方法】変更
【補正の内容】
【０００７】
上記課題を解決するために、本発明に係る受信装置では、表示手段と、データからリモコンの操作キーのうち使用可能な操作キーを検出する検出手段と、リモコンの操作キーの配置及び検出手段の検出結果に基づいて使用可能な操作キーに対応する情報を表示手段に表示する表示制御手段を有することを特徴とする。
また、上記課題を解決するために、本発明に係る受信システムでは、データを含む放送波を受信する受信装置及び複数の操作キーを有し且つ受信装置を操作可能なリモコンを有し、受信装置は、表示手段と、データからリモコンの操作キーのうち使用可能な操作キーを検出する検出手段と、リモコンの操作キーの配置及び検出手段の検出結果に基づいて使用可能な操作キーと使用不可能な操作キーを区別して操作キーに対応する情報を表示手段に表示する表示制御手段を有することを特徴とする。
また、上記課題を解決するために、本発明に係るデータ放送受信装置では、表示手段と、データ放送に含まれるデータからコンテンツ記述文書を分離するための分離手段と、コンテンツ記述文書に記載される操作キー情報に基づいてリモコンが有する複数の操作キーの内データ放送で使用することができる操作キーを特定する特定手段と、特定された操作キーを使用することができない操作キーと区別して表示手段に表示する表示制御手段とを有することを特徴とする。
【手続補正６】
【補正対象書類名】明細書
【補正対象項目名】００１９
【補正方法】変更
【補正の内容】
【００１９】
以下図面を参照して、本発明に係る受信装置及び受信システムについて説明する。
【手続補正７】
【補正対象書類名】明細書
【補正対象項目名】００２６
【補正方法】変更
【補正の内容】
【００２６】
次に、データ放送受信機１０の操作を行うためのリモコン７０の一例を図２に示す。図２に示されるように、リモコン７０には、電源ボタン１０１、選局切換ボタン１０２、０〜９の数字キーから構成されるテンキー１０３、ＥＰＧキー１０４、メニューキー１０５、アップキー１０６、ダウンキー１０７、レフトキー１０８、ライトキー１０９、決定（リターン）キー１１０、チャンネルアップダウンキー１１３、「ｄ」キー１１１、戻るキー１１２、映像の調整を行うための映像キー１１４、音声モードの選択を行うための音声キー１１５、字幕の位置及び言語の選択を行うための字幕キー１１６、カラーキー（青、赤、緑及び黄）１１７が配置されている。図２に示すリモコン７０は一例であって、これに限定されるものではなく、様々な変更が可能である。
【手続補正８】
【補正対象書類名】明細書
【補正対象項目名】００２８
【補正方法】変更
【補正の内容】
【００２８】
図中３００は、ユーズドキーリスト(Used-key-list）に関する記述である。ユーズドキーリストは、リモコンで利用することができる操作キーの種類を示しており、図中３０１の部分では、「basic」（アップキー、ダウンキー、レフトキー、ライトキー、決定キー及び戻るキーを表す）、と「data-button」（青、赤、緑及び黄のカラーキーを表す）が利用できることを示している。ユーズドキーリストに記述されるキーの種類としては、他に「numeric-tuning」（０〜９の選局キーを表す）、「other-tuning」（チャンネルアップダウンキーを表す）などがあるが、様々な種類を表示することが可能であって、これらの限定されるものではない。
【手続補正９】
【補正対象書類名】明細書
【補正対象項目名】００２９
【補正方法】変更
【補正の内容】
【００２９】
また図中３１０は、キー操作アクションに関する記述である。キー操作アクションは、指定されたキーを操作した場合の具体的な動作を示しており、図中３１１〜３１５では、アップキー、ダウンキー、レフトキー、ライトキー及び決定キーが押された場合の具体的な動作が記述されている。
【手続補正１０】
【補正対象書類名】明細書
【補正対象項目名】００３１
【補正方法】変更
【補正の内容】
【００３１】
また、「ＯＦＦ」ボタン６１はキー操作用の表示画面を消すために、「移動」ボタン６２は、各種キーを表示する画面上の位置を下側部分と上側部分で切換えるために（図４では下側部分に表示されている）、切換ボタン６３は３画面の内の一画面から他の画面に切換えるためにある。ディスプレイ６０の表面には、透明導電膜による電極が設けられており（所謂、タッチパネル）、ユーザがディスプレイ上のボタン６１〜６３の部分を押すことによって、各ボタンの動作が実行される。
【手続補正１１】
【補正対象書類名】明細書
【補正対象項目名】００３９
【補正方法】変更
【補正の内容】
【００３９】
最初に、ＴＳデコード部２２で分離されたＢＭＬ文書をＣＰＵ２９が解析し、予めＲＯＭ２８に記憶されているプログラムに従い、キー操作アクションの記述に基づいて操作キーを特定する。図３の例では、図中３１１〜３１５の部分に記述されているアップキー、ダウンキー、レフトキー、ライトキー、及び決定キーを決定する。即ち、図３のＢＭＬ文書のキー操作アクションによれば、受信中のデータ放送では、リモコン７０のキーの内、アップキー１０６、ダウンキー１０７、レフトキー１０８、ライトキー１０９、及び決定キー１１０について、具体的な動作が定められているので、これらの操作キーのみが使用できる。
【手続補正１２】
【補正対象書類名】明細書
【補正対象項目名】００４６
【補正方法】変更
【補正の内容】
【００４６】
また、受信しているデータ放送で使用することができる操作キーのみを表示し、その他の操作キーを表示しないことによって、使用することができる操作キーを区別しても良い。図６（ｂ）の場合において、データ放送で使用することができる操作キーのみを表示した例を図８に示す。図８では、選択されたアップキー２０６、ダウンキー２０７、レフトキー２０８、ライトキー２０９、及び決定キー２１０のみが表示されている。